(57)【要約】【課題】情報処理装置の表示画面が伏せられた状態から当該表示画面が伏せられていない状態に復帰させた場合に、情報処理装置から出力可能な情報の漏洩を防止することができる情報処理装置、セキュリティロック状態遷移方法およびプログラムを提供する。【解決手段】実施形態の情報処理装置は、表示部と、検出部と、制御部と、を備える。表示部は、表示画面を有する。検出部は、表示画面が伏せられた状態を検出する。制御部は、表示画面が伏せられた状態が検出された場合にセキュリティロック状態に遷移する。【選択図】図１
2014086865.tif 000002
【特許請求の範囲】
【請求項１】
表示画面を有した表示部と、
前記表示画面が伏せられた状態を検出する検出部と、
前記表示画面が伏せられた状態が検出された場合にセキュリティロック状態に遷移する制御部と、
を備えた情報処理装置。
【請求項２】
前記制御部は、前記表示画面が伏せられた状態から前記表示画面が伏せられていない状態に復帰しても前記セキュリティロック状態を維持する請求項１に記載の情報処理装置。
【請求項３】
前記制御部は、前記表示画面が伏せられた状態が検出された場合、アプリケーションの実行に伴って前記表示部に表示される情報を非表示にして前記セキュリティロック状態に遷移する請求項１または２に記載の情報処理装置。
【請求項４】
前記制御部は、前記表示画面が伏せられた状態が検出された場合に前記アプリケーションの実行を終了させて前記情報を非表示にする請求項３に記載の情報処理装置。
【請求項５】
前記制御部は、前記表示画面が伏せられた状態が検出された場合、前記アプリケーションの実行に伴う動画の再生を一時停止する請求項３または４に記載の情報処理装置。
【請求項６】
前記制御部は、前記アプリケーションの実行に伴う動画の再生を、前記表示画面が伏せられた状態が検出された際の再生位置から、前記表示画面が伏せられた状態への遷移に要する時間を考慮した所定時間遡った再生位置で一時停止する請求項５に記載の情報処理装置。
【請求項７】
スピーカを備え、
前記制御部は、前記アプリケーションの実行に伴って再生された音声が前記スピーカに出力されている際に前記表示画面が伏せられた状態が検出された場合、前記アプリケーションの実行に伴って再生された音声の出力を停止する請求項３から６のいずれか一に記載の情報処理装置。
【請求項８】
前記制御部は、前記アプリケーションの実行に伴う音声の再生を一時停止する請求項７に記載の情報処理装置。
【請求項９】
前記制御部は、前記アプリケーションの実行に伴う音声の再生を、前記表示画面が伏せられた状態が検出された際の再生位置から、前記表示画面が伏せられた状態への遷移に要する時間を考慮した所定時間遡った再生位置で一時停止する請求項８に記載の情報処理装置。
【請求項１０】
前記制御部は、前記アプリケーションの実行に伴って再生された音声を消音する請求項７に記載の情報処理装置。
【請求項１１】
前記制御部は、前記アプリケーションの実行に伴って再生された音声がヘッドフォンまたはイアフォンに出力されている際に前記表示画面が伏せられた状態が検出された場合、前記アプリケーションの実行に伴って再生された音声の出力を継続させる請求項７から１０のいずれか一に記載の情報処理装置。
【請求項１２】
前記制御部は、前記ヘッドフォンまたは前記イアフォンの接続が切断された場合、前記アプリケーションの実行に伴って再生された音声の出力を停止する請求項１１に記載の情報処理装置。
【請求項１３】
前記制御部は、前記表示画面が伏せられた状態が検出された場合に前記セキュリティロック状態を解除する解除操作を指示するロック解除画面を前記表示部に表示させ、前記ロック解除画面において前記解除操作が指示された場合に、前記セキュリティロック状態を解除する請求項１から１２のいずれか一に記載の情報処理装置。
【請求項１４】
表示画面を有した表示部を備えた情報処理装置で実行されるセキュリティロック状態遷移方法であって、
検出部が、前記表示画面が伏せられた状態を検出する過程と、
制御部が、前記表示画面が伏せられた状態が検出された場合にセキュリティロック状態に遷移する過程と、
を含むセキュリティロック状態遷移方法。
【請求項１５】
前記制御部は、前記表示画面が伏せられた状態から前記表示画面が伏せられていない状態に復帰しても前記セキュリティロック状態を維持する請求項１４に記載のセキュリティロック状態遷移方法。
【請求項１６】
前記制御部は、前記表示画面が伏せられた状態が検出された場合、アプリケーションの実行に伴って前記表示部に表示される情報を非表示にして前記セキュリティロック状態に遷移する請求項１４または１５に記載のセキュリティロック状態遷移方法。
【請求項１７】
表示画面を有した表示部を備えた情報処理装置を制御するコンピュータを、
前記表示画面が伏せられた状態を検出する検出部と、
前記表示画面が伏せられた状態が検出された場合にセキュリティロック状態に遷移する制御部と、
として機能させるプログラム。
【請求項１８】
前記制御部は、前記表示画面が伏せられた状態から前記表示画面が伏せられていない状態に復帰しても前記セキュリティロック状態を維持する請求項１７に記載のプログラム。
【請求項１９】
前記制御部は、前記表示画面が伏せられた状態が検出された場合、アプリケーションの実行に伴って前記表示部に表示される情報を非表示にして前記セキュリティロック状態に遷移する請求項１７または１８に記載のプログラム。
【発明の詳細な説明】
【技術分野】
【０００１】
本発明の実施形態は、情報処理装置、セキュリティロック状態遷移方法およびプログラムに関する。
【背景技術】
【０００２】
タブレット端末など表示画面を備えたスレート型の情報処理装置において、表示画面が下方に向けられたことを検出して、動作モードを、使用モードまたは不使用モードに切り替える技術が開示されている。
【先行技術文献】
【特許文献】
【０００３】
【特許文献１】特開２０１２−３３９９７号公報
【発明の概要】
【発明が解決しようとする課題】
【０００４】
しかしながら、従来技術においては、情報処理装置が備える電池の消費電力を節約することを目的としているため、表示画面が下方に向けられたことが検出されて、動作モードが不使用モードに切り替えられた後、表示画面が上方に向けられた状態に復帰した場合、動作モードが使用モードに切り替える。そのため、表示画面が上方に向けた状態に復帰してしまうと、表示画面に表示された情報が漏洩してしまう、という課題がある。
【０００５】
本発明は、上記に鑑みてなされたものであって、情報処理装置の表示画面が伏せられた状態から当該表示画面が伏せられていない状態に復帰させた場合に、情報処理装置から出力可能な情報の漏洩を防止することができる情報処理装置、セキュリティロック状態遷移方法およびプログラムを提供することを目的とする。
【課題を解決するための手段】
【０００６】
実施形態の情報処理装置は、表示部と、検出部と、制御部と、を備える。表示部は、表示画面を有する。検出部は、表示画面が伏せられた状態を検出する。制御部は、表示画面が伏せられた状態が検出された場合にセキュリティロック状態に遷移する。
【図面の簡単な説明】
【０００７】
【図１】図１は、本実施形態にかかる情報処理装置の外観を模式的に示す図である。
【図２】図２は、本実施形態にかかる情報処理装置のハードウェア構成の一例を示すブロック図である。
【図３】図３は、本実施形態にかかる情報処理装置の機能構成を示すブロック図である。
【図４】図４は、本実施形態にかかる情報処理装置の表示画面が伏せられた状態を説明するための図である。
【図５】図５は、本実施形態にかかる情報処理装置においてセキュリティロック状態に遷移する処理の流れを示すフローチャートである。
【発明を実施するための形態】
【０００８】
以下、添付図面を参照して実施形態にかかる情報処理装置、セキュリティロック状態遷移方法およびプログラムの詳細を説明する。なお、以下の実施形態では、ＰＤＡ（Personal  Digital  Assistants）や携帯電話等、スレート型の筐体を備えた情報処理装置を例に説明する。
【０００９】
図１は、本実施形態にかかる情報処理装置の外観を模式的に示す図である。本実施形態にかかる情報処理装置１００は、表示画面１１２を有した表示部１１を備えたスレート型の情報処理装置であり、例えばスレート端末（タブレット端末）や電子書籍リーダ、デジタルフォトフレーム等として実現されている。なお、ここでは、Ｘ軸、Ｙ軸、Ｚ軸の矢印方向（Ｚ軸では図の手前方向）を正方向としている。
【００１０】
情報処理装置１００は、薄い箱状（スレート型）の筐体Ｂを備えている。筐体Ｂは、表示部１１を収納している。本実施形態では、筐体Ｂは、表示部１１が有する表示画面１１２を露出させる開口部Ｂ１を有した面（以下、上面という）を備えている。表示部１１は、ユーザによってタッチされた表示画面１１２上の位置を検知するタッチパネル１１１（図２参照）を備えている。また、筐体Ｂの上面の下部には、ユーザが各種操作を行う操作スイッチ１９およびユーザの音声を取得するためのマイク２１が配置されている。また、筐体Ｂの上面の上部には、音声を出力するためのスピーカ２２が配置されている。また、筐体Ｂの縁には、音声を出力するためのヘッドフォンまたはイアフォンを接続可能なコネクタ（図示しない）が配置されている。さらに、筐体Ｂの上面の上部には、周囲の明るさを検出する照度センサ２３が配置されている。
【００１１】
図２は、本実施形態にかかる情報処理装置のハードウェア構成の一例を示すブロック図である。図２に示すように、本実施形態にかかる情報処理装置１００は、上述の構成に加え、ＣＰＵ（Central  Processing  Unit）１２、システムコントローラ１３、グラフィックスコントローラ１４、タッチパネルコントローラ１５、加速度センサ１６、不揮発性メモリ１７、ＲＡＭ（Random  Access  Memory）１８、音声処理部２０、ジャイロセンサ２４、近接センサ２５等を備えている。
【００１２】
表示部１１は、タッチパネル１１１と、ＬＣＤ（Liquid  Crystal  Display）や有機ＥＬ（Electro  Luminescence）等の表示画面１１２と、を備えている。タッチパネル１１１は、例えば表示画面１１２上に配置された座標検出装置である。タッチパネル１１１は、筐体Ｂを把持したユーザの指によってタッチされた表示画面１１２上の位置（タッチ位置）を検出する。
【００１３】
ＣＰＵ１２は、システムコントローラ１３を介して情報処理装置１００の各部を制御するプロセッサである。ＣＰＵ１２は、不揮発性メモリ１７からＲＡＭ１８にロードされる、オペレーティングシステムや、ウェブブラウザ、文章の作成に用いるソフトウェアなどの各種アプリケーションプログラムを実行する。
【００１４】
不揮発性メモリ１７は、オペレーティングシステム、各種アプリケーションプログラム等のプログラムや各種データを記憶する。ＲＡＭ１８は、ＣＰＵ１２がプログラムを実行する際の作業領域を提供する。
【００１５】
システムコントローラ１３には、不揮発性メモリ１７およびＲＡＭ１８にアクセス制御するメモリコントローラを内蔵している。また、システムコントローラ１３は、グラフィックスコントローラ１４との通信を実行する機能を有している。
【００１６】
グラフィックスコントローラ１４は、表示画面１１２を制御する表示コントローラである。タッチパネルコントローラ１５は、タッチパネル１１１を制御し、ユーザによってタッチされた表示画面１１２上のタッチ位置を示す座標データをタッチパネル１１１から取得する。
【００１７】
照度センサ２３は、例えばフォトダイオードなど、情報処理装置１００の周囲の明るさを検出する。本実施形態では、照度センサ２３は、上述したように、筐体Ｂの上面に配置され、表示画面１１２前方の明るさ、すなわち、情報処理装置１００の周囲の明るさを示す明るさ信号をＣＰＵ１２に出力する。
【００１８】
ジャイロセンサ２４は、情報処理装置１００がＸ軸、Ｙ軸およびＺ軸の各軸周りに回転した場合における回転角度を検出する。そして、ジャイロセンサ２４は、Ｘ軸、Ｙ軸およびＺ軸の各軸周りの回転角度を示す回転角度信号をＣＰＵ１２に出力する。
【００１９】
加速度センサ１６は、情報処理装置１００の加速度を検出する。本実施形態では、加速度センサ１６は、図１に示すＸ軸、Ｙ軸およびＺ軸の各軸方向の加速度、および各軸周りの回転方向の加速度を検出する。そして、加速度センサ１６は、図１に示すＸ軸、Ｙ軸およびＺ軸の各軸方向の加速度および各軸周りの回転方向の加速度を示す加速度信号をＣＰＵ１２に出力する。
【００２０】
近接センサ２５は、検出対象の物体が接近したことを非接触で検出するセンサである。具体的には、近接センサ２５には、電磁誘導を利用した高周波発振型、磁石を用いた磁気型および検出対象の物体とセンサとの間の静電容量の変化を検出する静電容量型などのセンサを用いる。そして、近接センサ２５は、検出対象の物体が接近したことを検出すると、当該検出対象の物体が接近したことを示す近接信号をＣＰＵ１２に出力する。
【００２１】
音声処理部２０は、マイク２１より入力される音声信号に、デジタル変換、ノイズ除去、エコーキャンセル等の音声処理を施してＣＰＵ１２に出力する。また、音声処理部２０は、ＣＰＵ１２の制御のもとで、音声合成等の音声処理を施して生成した音声信号をスピーカ２２へ出力する。
【００２２】
次に、図３〜５を用いて、本実施形態にかかる情報処理装置１００の機能構成について説明する。図３は、本実施形態にかかる情報処理装置の機能構成を示すブロック図である。図４は、本実施形態にかかる情報処理装置の表示画面が伏せられた状態を説明するための図である。図５は、本実施形態にかかる情報処理装置においてセキュリティロック状態に遷移する処理の流れを示すフローチャートである。
【００２３】
図３に示すように、情報処理装置１００は、ＣＰＵ１２が不揮発性メモリ１７に記憶されたプログラムを実行することにより、実行部１２１、状態検出部１２２およびロック状態制御部１２３を実現する。
【００２４】
実行部１２１は、不揮発性メモリ１７に記憶された各種アプリケーションプログラムを実行する。本実施形態では、実行部１２１は、情報の表示、音声の再生、動画の再生等を伴うアプリケーションプログラム（アプリケーション）を実行する。
【００２５】
状態検出部１２２は、情報処理装置１００の表示画面１１２が伏せられた状態を検出する検出部として機能する。本実施形態では、状態検出部１２２は、ジャイロセンサ２４から出力された回転角度信号が示す回転角度、加速度センサ１６から出力される加速度信号が示す加速度、照度センサ２３から出力された明るさ信号が示す明るさ、近接センサ２５から出力された近接信号等に基づいて、表示画面１１２が伏せられた状態を検出する。
【００２６】
具体的には、状態検出部１２２は、図４に示すように、表示画面１１２を上方に向けて情報処理装置１００が机上等に載置された状態（すなわち、表示画面１１２が伏せられていない状態）から引っ繰り返されて、ジャイロセンサ２４から出力された回転角度信号がＸ軸またはＹ軸周りに１８０度回転したことを示し、かつ照度センサ２３から出力された明るさ信号が示す明るさが所定の閾値以下となった場合、表示画面１１２が伏せられた状態になったことを検出する。
【００２７】
また、状態検出部１２２は、加速度センサ１６から出力された加速度信号がＺ軸の負方向の加速度を示した状態（すなわち、表示画面１１２が上方に向けられている状態）から、加速度信号がＸ軸またはＹ軸周りの回転方向の加速度を示した後、加速度信号がＺ軸の正方向（すなわち、表示画面１１２の前方へ）の加速度を示し、かつ照度センサ２３から出力された明るさ信号が示す明るさが所定の閾値以下となった場合、表示画面１１２が伏せられた状態になったことを検出しても良い。
【００２８】
なお、ガラステーブル等の透明な面に対して表示画面１１２が伏せられた場合、回転角度信号がＸ軸またはＹ軸周りに１８０度回転したことを示すか若しくは加速度信号がＺ軸の正方向の加速度を示しても、明るさ信号が示す明るさが所定の閾値以下とならず、表示画面１１２が伏せられた状態となったか否かを判断できない。この場合、状態検出部１２２は、回転角度信号がＸ軸またはＹ軸の周りに１８０度回転したことを示すか若しくは加速度信号がＺ軸の正方向の加速度を示し、かつ近接センサ２５から近接信号が出力された場合に、表示画面１１２が伏せられた状態を検出する。これにより、ガラステーブル等の透明な面に対して表示画面１１２が伏せられた場合にも、表示画面１１２が伏せられた状態を検出することができる。
【００２９】
また、状態検出部１２２は、ジャイロセンサ２４から出力された回転角度信号がＸ軸またはＹ軸周りに１８０度回転したことを示すか若しくは加速度信号がＺ軸の正方向の加速度を示し、かつ照度センサ２３から出力された明るさ信号が示す明るさが所定値分暗くなった場合に、表示画面１１２が伏せられた状態になったことを検出しても良い。これにより、明るさが所定の閾値以下の暗所において、表示画面１１２が伏せられずに下方に向けられた場合に、表示画面１１２が伏せられた状態になったことを誤検出することを防止できる。
【００３０】
ロック状態制御部１２３は、状態検出部１２２により表示画面１１２が伏せられた状態が検出された場合に情報処理装置１００をセキュリティロック状態に遷移させる制御部として機能する。また、ロック状態制御部１２３は、表示画面１１２が伏せられた状態から表示画面１１２が伏せられていない状態に復帰してもセキュリティロック状態を維持する。ここで、セキュリティロック状態とは、情報処理装置１００からの各種情報の出力を禁止して、当該各種情報を保護する状態である。例えば、セキュリティロック状態は、表示画面１１２の表示内容を、セキュリティロック状態を解除するための解除操作（例えば、パスワードやパターン等の入力）を指示するロック解除画面に変更した状態である。これにより、情報処理装置１００で情報を閲覧している途中で情報処理装置１００を置いて席を離れる場合や表示画面１１２に表示された情報が他人に見られないようにする場合などに、情報処理装置１００の表示画面１１２を伏せるだけでセキュリティロック状態に遷移させることができるので、利便性の高いユーザインタフェースを提供することができる。
【００３１】
具体的には、ロック状態制御部１２３は、図５に示すように、状態検出部１２２により表示画面１１２が伏せられた状態が検出されていない間（ステップＳ５０２：Ｎｏ）、実行部１２１により各種アプリケーションが実行されている通常動作を継続する（ステップＳ５０１）。そして、ロック状態制御部１２３は、表示画面１１２が伏せられた状態が検出された場合（ステップＳ５０２：Ｙｅｓ）に情報処理装置１００をセキュリティロック状態に遷移させる（ステップＳ５０３）。
【００３２】
本実施形態では、ロック状態制御部１２３は、表示画面１１２が伏せられた状態が検出されてセキュリティロック状態に遷移してから、所定時間以内にロック解除画面においてセキュリティロック状態を解除するためのユーザ操作が行われなかった場合、表示画面１１２のバックライトを消灯するなど、表示画面１１２へのロック解除画面の表示を中止して不使用状態へと遷移させる。その後、ロック状態制御部１２３は、ホームボタン（図示しない）等のハードウェアキーが押下されて、不使用状態からロック解除画面の表示が指示されるまで、不使用状態を維持する。なお、本実施形態では、表示画面１１２が伏せられた状態が検出された場合、ロック解除画面を表示部１１２に表示させているが、これに限定するものではなく、例えば、表示画面１１２が伏せられた状態が検出された場合に表示画面１１２のバックライトを消灯させて表示画面１１２への情報の表示を禁止しても良い。
【００３３】
セキュリティロック状態に遷移させた後、ロック状態制御部１２３は、表示画面１１２に表示されたロック解除画面において解除操作が行われたか否かを判断する（ステップＳ５０４）。そして、解除操作が行われていない場合（ステップＳ５０４：Ｎｏ）、ロック状態制御部１２３は、ステップＳ５０３に戻り、表示画面１１２が伏せられた状態から表示画面１１２が伏せられていない状態に復帰したとしてもセキュリティロック状態を維持する。
【００３４】
一方、ロック解除画面において解除操作が行われた場合（ステップＳ５０４：Ｙｅｓ）、ロック状態制御部１２３は、セキュリティロック状態を解除する（ステップＳ５０５）。その際、ロック状態制御部１２３は、実行部１２１による通常動作に復帰させるための復帰動作（例えば、セキュリティロック状態に遷移することにより終了されたアプリケーションに係る情報（例えば、アプリケーションの実行に関わる各種設定など）の読み出しなど）を実行する。
【００３５】
図３に戻り、ロック状態制御部１２３は、状態検出部１２２により表示画面１１２が伏せられた状態が検出された場合に実行部１２１によるアプリケーションの実行を終了させて当該アプリケーションの実行に伴って表示される情報を非表示にする。その際、ロック状態制御部１２３は、状態検出部１２２により表示画面１１２が伏せられた状態が検出された際に実行されていたアプリケーションに係る情報（例えば、アプリケーションの実行に伴って表示される情報やアプリケーションの実行に関わる各種設定など）を不揮発性メモリ１７等の記憶媒体に保存する。
【００３６】
本実施形態では、ロック状態制御部１２３は、表示画面１１２が伏せられた状態が検出された場合にアプリケーションの実行を終了させているが、アプリケーションの実行に伴って表示される情報を非表示にするものであれば良い。例えば、アプリケーションの実行に伴って表示される情報のウィンドウを最小化して隠しても良い。これにより、セキュリティロック状態に遷移する前に表示画面１１２に表示されていた他人に見られたくない情報が、セキュリティロック状態が解除された際に最初に表示されることを防止できる。
【００３７】
また、本実施形態では、ロック状態制御部１２３は、表示画面１１２が伏せられた状態の検出に伴って、アプリケーションの実行に伴って表示される情報を非表示としているが、セキュリティロック状態から復帰した際にアプリケーションの実行に伴って表示される情報が非表示とするものであれば、これに限定するものではない。例えば、ロック状態制御部１２３は、セキュリティロック状態に遷移した後、情報処理装置１００が備えるハードウェアキー（図示しない）が押下された場合に、セキュリティロック状態から復帰した際にアプリケーションの実行に伴って表示される情報が表示されないよう、アプリケーションの実行を終了させたり、アプリケーションの実行に伴って表示される情報のウィンドウを最小化したりしても良い。
【００３８】
また、ロック状態制御部１２３は、状態検出部１２２により表示画面１１２が伏せられた状態が検出された場合、実行部１２１によるアプリケーションの実行に伴う動画の再生を一時停止する。その際、ロック状態制御部１２３は、アプリケーションの実行に伴い再生された動画の表示画面１１２への表示を非表示とする。これにより、セキュリティロック状態が解除された際に、アプリケーションの実行に伴う動画の再生を、表示画面１１２を伏せた際の再生位置から再開させることができる。また、セキュリティロック状態に遷移した際に、一時停止中の動画が表示画面１１２に表示されて、その表示内容を漏洩することを防止できる。本実施形態では、ロック状態制御部１２３は、実行部１２１によるアプリケーションの実行に伴う動画の再生を、表示画面１１２が伏せられた状態が検出された際の再生位置から、表示画面１１２が伏せられた状態への遷移に要する時間を考慮した所定時間遡った再生位置で一時停止する。これにより、表示画面１１２が伏せられた状態になるまでの間に再生される動画の見逃しを考慮して動画の再生が一時停止されるので、セキュリティロック状態が解除された際の動画の見逃しを無くすことができる。
【００３９】
また、ロック状態制御部１２３は、実行部１２１によるアプリケーションの実行に伴って再生された音声（例えば、音楽や会話など）がスピーカ２２に出力されている際に表示画面１１２が伏せられた状態が検出された場合、実行部１２１によるアプリケーションの実行に伴う音声の再生を一時停止する。本実施形態では、ロック状態制御部１２３は、実行部１２１によるアプリケーションの実行に伴う音声の再生を一時停止しているが、アプリケーションの実行に伴って再生された音声の出力を停止するものであれば良く、例えば、アプリケーションの実行に伴って再生された音声を消音しても良い。これにより、アプリケーションの実行に伴って音声が再生されている際に、ハードウェアまたはソフトウェアのボリュームキーを操作して音声の出力を停止するよりも簡単に、音声の出力を停止することができる。また、本実施形態では、ロック状態制御部１２３は、実行部１２１によるアプリケーションの実行に伴う音声の再生を、表示画面１１２が伏せられた状態が検出された際の再生位置から、表示画面１１２が伏せられた状態への遷移に要する時間を考慮した所定時間遡った再生位置で一時停止する。これにより、表示画面１１２が伏せられた状態になるまでの間に再生される音声の聞き逃しを考慮して音声の再生が一時停止されるので、セキュリティロック状態が解除された際の音声の聞き逃しを無くすことができる。
【００４０】
また、ロック状態制御部１２３は、実行部１２１によるアプリケーションの実行に伴って再生された音声がヘッドフォンまたはイアフォンに出力されている際に表示画面１１２が伏せられた状態が検出された場合、アプリケーションの実行に伴って再生された音声を消音せずに、当該音声の出力を継続させる。これにより、表示画面１１２を伏せられた状態にして表示画面１１２に表示された情報を他人に見られない状態にした後も、音声を聞き続けることができる。さらに、ロック状態制御部１２３は、アプリケーションの実行に伴って再生された音声の出力先であるヘッドフォンまたはイアフォンの接続が切断された場合に、アプリケーションの実行に伴って再生された音声の出力を停止する。
【００４１】
このように、本実施形態の情報処理装置１００によれば、表示画面１１２を有した表示部１１と、表示画面１１２が伏せられた状態を検出する状態検出部１２２と、表示画面１１２が伏せられた状態が検出された場合にセキュリティロック状態に遷移し、表示画面１１２が伏せられた状態から表示画面１１２が伏せられていない状態に復帰してもセキュリティロック状態を維持するロック状態制御部１２３と、を備えることにより、表示画面１１２を伏せるだけでセキュリティロック状態に遷移させることができるので、利便性の高いユーザインタフェースを提供することができる。また、表示画面１１２が伏せられた状態から当該表示画面１１２が伏せられていない状態に復帰させても、セキュリティロック状態が維持されるので、情報処理装置１００から出力可能な情報の漏洩を防止することができる。
【００４２】
本実施形態の情報処理装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４３】
また、本実施形態の情報処理装置１００で実行されるプログラムを、インターネット等のネットワークに接続されたコンピュータ上に格納し、ネットワーク経由でダウンロードさせることにより提供するように構成しても良い。また、本実施形態の情報処理装置１００で実行されるプログラムをインターネット等のネットワーク経由で提供または配布するように構成しても良い。
【００４４】
また、本実施形態の情報処理装置１００で実行されるプログラムを、ＲＯＭ（Read  Only  Memory）等に予め組み込んで提供するように構成してもよい。
【００４５】
本実施形態の情報処理装置１００で実行されるプログラムは、上述した各部（実行部１２１、状態検出部１２２、ロック状態制御部１２３など）を含むモジュール構成となっており、実際のハードウェアとしてはＣＰＵ１２が上記記憶媒体からプログラムを読み出して実行することにより上記各部が主記憶装置上にロードされ、実行部１２１、状態検出部１２２、ロック状態制御部１２３などが主記憶装置上に生成されるようになっている。
【００４６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４７】
１００  情報処理装置
１１  表示部
１２  ＣＰＵ
１３  システムコントローラ
１４  グラフィックスコントローラ
１５  タッチパネルコントローラ
１６  加速度センサ
１７  不揮発性メモリ
１８  ＲＡＭ
１９  操作スイッチ
２０  音声処理部
２１  マイク
２２  スピーカ
２３  照度センサ
２４  ジャイロセンサ
２５  近接センサ
Ｂ  筐体
Ｂ１  開口部
１２１  実行部
１２２  状態検出部
１２３  ロック状態制御部
【図１】
2014086865.tif 000003
【図２】
2014086865.tif 000004
【図３】
2014086865.tif 000005
【図４】
2014086865.tif 000006
【図５】
2014086865.tif 000007